(57)【特許請求の範囲】
【請求項１】
第２のデバイスの温度を感知するための、温度感知デバイスであって、
コントローラであって、
第１のクロック周波数を有する熱検出信号を供給し、
前記第２のデバイスから、前記第１のクロック周波数よりも低い、第２のクロック周波数に基づく電子信号を受信し、
所定の瞬間における前記熱検出信号のエッジと、次に検出される所定のタイプの前記電子信号のエッジとの間の持続時間を、前記熱検出信号のサイクル数として測定し、
測定された持続時間のセットの分析から、前記電子信号の周波数温度特性の知識に基づいて、前記第２のデバイスにおける温度を決定するように適合されている、コントローラを備える、温度感知デバイス。
【請求項２】
前記コントローラが、所定の瞬間における前記熱検出信号の立ち上がりエッジと、次に検出される前記電子信号の立ち上がりエッジとの間の持続時間を、次の整数に切り上げられた、前記熱検出信号のサイクル数として測定するように適合されている、請求項１に記載のデバイス。
【請求項３】
前記電子信号のソースの識別を可能にするための、アドレスデコーダを備える、請求項１又は２に記載のデバイス。
【請求項４】
前記測定された持続時間のセットが、最大でも前記電子信号の２ビット周期に対応する持続時間のみを含む、請求項１乃至３のいずれか一項に記載のデバイス。
【請求項５】
前記温度が、統計分析に基づいて得られる、請求項１乃至４のいずれか一項に記載のデバイス。
【請求項６】
前記統計分析が、
前記持続時間の平均値若しくは任意の他の値又は前記平均値若しくは前記任意の他の値の関数の計算、あるいは、
前記持続時間の分布若しくは任意の他の広がり又は前記分布若しくは前記任意の他の広がりの関数の分析を含む、請求項５に記載のデバイス。
【請求項７】
照明システムコントローラを含む、請求項１乃至６のいずれか一項に記載のデバイス。
【請求項８】
温度感知システムであって、
請求項１乃至７のいずれか一項に記載の温度感知デバイスと、
データ通信インタフェースによって前記温度感知デバイスと通信するように適合されている、第２のデバイスと、を備える、温度感知システム。
【請求項９】
前記第２のデバイスが、第２の水晶発振器によって前記第２のクロック周波数でクロックされる、第２のコントローラを有する、請求項８に記載のシステム。
【請求項１０】
前記第２のデバイスが、照明負荷、及び関連するローカル照明コントローラを含む、請求項８又は９に記載のシステム。
【請求項１１】
前記温度感知デバイスの前記コントローラが、１つ以上の既知の温度において前記第２のデバイスを使用して、較正測定を実施するように適合されている、請求項８乃至１０のいずれか一項に記載のシステム。
【請求項１２】
温度感知方法であって、
第１のコントローラにおいて熱検出信号を生成するステップであって、第１の前記熱検出信号が、第１の水晶発振器によってクロックされている、ステップと、
第２のデバイスから電子信号を受信するステップであって、前記電子信号が、第１のクロック周波数よりも低い、第２のクロック周波数に基づいている、ステップと、
所定の瞬間における前記熱検出信号のエッジと、次に検出される所定のタイプの前記電子信号のエッジとの間の持続時間を、前記熱検出信号のサイクル数として測定するステップと、
測定された持続時間のセットを分析するステップであって、それにより、前記電子信号の周波数温度特性の知識に基づいて、前記第２のデバイスにおける温度を決定する、ステップと、を含む、温度感知方法。
【請求項１３】
統計分析に基づいて前記温度を決定するステップを含み、前記統計分析が、
前記持続時間の平均値若しくは任意の他の値又は前記平均値若しくは前記任意の他の値の関数の計算、あるいは、
前記持続時間の分布若しくは任意の他の広がり又は前記分布若しくは前記任意の他の広がりの関数の分析を含む、請求項１２に記載の方法。
【請求項１４】
照明システムコントローラにおいて、第２の照明負荷における温度を感知するステップを含む、請求項１２又は１３に記載の方法。
【請求項１５】
コード手段を含むコンピュータプログラムであって、前記コード手段が、前記プログラムがコンピュータ上で実行されると、請求項１２乃至１４のいずれか一項に記載の方法を実施するように適合されている、コンピュータプログラム。
【発明の詳細な説明】
【技術分野】
【０００１】
本発明は、例えば電子回路に関する、温度検出に関し、詳細には、専用の熱プローブ又はセンサを必要としない、熱検出に関する。
【背景技術】
【０００２】
多種多様な回路において、回路の温度は、システム健全性に関する重要な要因である。１つの特定例は、照明回路であり、照明要素は、所望の光出力のみならず、著しい量の熱を生成する。ＬＥＤ照明器具及び照明コントローラなどの照明システム内では、より多くの半導体構成要素及び他の電子構成要素が使用されるため、熱情報は、照明回路においてますます重要となる。
【０００３】
現在、温度を測定するために、殆どの熱検出器は、熱カプラ若しくは熱抵抗器、及び関連回路に基づいている。この目的に関しては、赤外線カメラもまた、非接触測定のオプションを提供することで既知である。これらのソリューションは、熟慮されたものではあるが、簡便性に欠けており、照明器具のようなコスト重視の製品においては、コスト効率が高いものではない。必要とされる複雑な回路もまた、潜在的な信頼性リスクを引き起こし得る。
【０００４】
例えばマイクロコントローラのクロック信号を生成するために使用されるような、水晶発振器は、その出力周波数の温度依存性を有することが既知である。このことは、別個の温度センサを必要とすることなく、温度を決定するために、発振器応答が使用されてもよいことを意味する。例えば、温度情報を決定するために、或る１つの水晶発振器の周波数を、温度に対して異なる依存性を有する、別の水晶発振器と比較することが既知である。この手法の一例が、米国特許第９２２８９０６号で開示されている。
【０００５】
この手法は、特定のタイプの水晶発振器、並びに、周波数の正確な測定を必要とする。この測定は、温度に対する出力周波数の依存性が低い水晶発振器に関しては、ますます困難なものとなる。結果として、高い温度依存性を有する水晶が必要とされるが、このことは、温度に左右されない周波数応答を有するという、一般的な目的に反している。
【発明の概要】
【発明が解決しようとする課題】
【０００６】
それゆえ、回路の全般的な温度安定性が損なわれる必要のない、より単純かつ柔軟な、熱検出のためのソリューションが必要とされている。
【課題を解決するための手段】
【０００７】
本発明は、請求項によって定義される。
【０００８】
本発明の第１の態様による実施例は、第２のデバイスの温度を感知するための、温度感知デバイスであって、
コントローラであって、
第１のクロック周波数を有する熱検出信号を供給し、
第２のデバイスから、第１のクロック周波数よりも低い、第２のクロック周波数に基づく電子信号を受信し、
所定の瞬間における熱検出信号のエッジと、次に検出される所定のタイプの電子信号のエッジとの間の持続時間(time duration)を、熱検出信号のサイクル数として測定し、
測定された持続時間のセットの分析から、電子信号の周波数温度特性の知識に基づいて、第２のデバイスにおける温度を決定するように適合されている、コントローラを備える、温度感知デバイスを提供する。
【０００９】
このデバイスは、特に、異なるクロック周波数に起因する可変遅延を含む、第２のデバイスから受信された電子（データ通信）信号に関連付けられている持続時間を測定することによって、第２のデバイスにおける温度を決定する。電子信号は、第２のクロック周波数に起因する特定のビット周波数を有する、デジタル信号である。信号エッジ間の持続時間のセットを測定することによって、水晶発振器の周波数の、またそれゆえ第２のコントローラのクロック周波数の、極めて小さい変化に起因する、持続時間値を測定することが可能になる。温度測定は、デジタル的に実施されてもよい。第２のデバイスは、例えば、第２のデバイスが異なる温度環境に曝されており、それにより、第２のデバイスによって引き起こされる加熱が、対応する温度感知デバイスの加熱をもたらさないという意味で、「第２」である。
【００１０】
この手法は、第２のデバイスからの、温度感知デバイスによる電子（データ）信号の受信に、単に依存するのみであるため、第２のデバイスのハードウェア又はソフトウェアに対する修正を必要としない。それゆえ、既存の製品を全く変更することなく、特に、追加的な熱センサ及び関連回路を使用することなく、第２のデバイスの熱状態が決定される。代わりに、温度感知機能は、受信された（一般に「電子信号」と呼ばれる）データ通信信号の分析、及び統計分析に基づいて実施される。
【００１１】
第２のデバイスは、温度感知デバイスから離れている、リモートデバイスとすることが可能である。屋外照明システムの一実施例では、第２のデバイスは、照明器具内に存在しており、温度感知デバイスは、キャビネット内に存在している。
【００１２】
屋外照明システムの別の実施例では、第２のデバイスは、照明器具の一部であり、温度感知デバイスもまた、照明器具の一部である。第２のデバイスは、光源、例えばＬＥＤの、ドライバ基板である。温度感知デバイスは、照明器具の制御基板内に存在している。ドライバ基板は、光源に近接しており、より高い消費電力を有する。このことは、温度における作動条件の悪化を引き起こす。制御基板は、相対的に、さほど光源に近接しておらず、より少ない消費電力を有する。
【００１３】
電気信号は、例えば、光源に電力供給するためのＰＷＭ信号である。ＰＷＭ信号は、専用のＰＷＭチップに基づいている。ＰＷＭ信号の周波数は、チップのデータシート内で指定されている。
【００１４】
コントローラは、例えば、所定の瞬間における熱検出信号の立ち上がりエッジと、次に検出される電子信号の立ち上がりエッジとの間の持続時間を、次の整数に切り上げられた、熱検出信号のサイクル数として測定するように適合されている。
【００１５】
所定の瞬間は、例えば周期的である。例えば、熱検出信号のＮサイクル毎に、そのサイクルの開始から、次の電子信号の立ち上がりエッジまでの、持続時間測定が実施される。時間測定は、代わりに、立ち下がりエッジに基づいてもよい。
【００１６】
このデバイスは、好ましくは、電子信号のソースの識別を可能にするための、アドレスデコーダを備える。
【００１７】
対象となる電子信号は、温度が決定されつつある第２のデバイスから受信されたものである。アドレスデコーダは、通信インタフェース上の関連信号が識別されることを可能にする。このデバイスはまた、検出が信号干渉をもたらさないように、インピーダンス整合システムを有してもよい。
【００１８】
測定される持続時間のセットは、最大でも電子信号の２ビット周期に対応する持続時間のみを含み得る。このことは、データ分析を単純化する。例えば、電子信号の測定点として、立ち上がりエッジが使用されている場合には、考慮されることになる電子信号のビット遷移は、０１、００１、又は１０１のデータパターンを形成することになる。それゆえ、即時に発生する（すなわち、電子信号が、所定の瞬間に値０を有しており、次いで、次のビット周期で１に遷移した）か、又は１つのみのビット遅延の後に発生する（すなわち、電子信号が、１０又は００遷移の後に続けて０１遷移を有した）、０１遷移が識別される。典型的実施形態では、データパターン１０１のみが考慮される。
【００１９】
温度は、例えば、統計分析に基づいて得られる。
【００２０】
統計分析は、以下を含み得る：
持続時間の平均値、若しくは任意の他の値、又はそれらの関数の計算、あるいは、
持続時間の分布、若しくは任意の他の広がり、又はそれらの関数の分析。
【００２１】
持続時間のこれらの種々の可能な分析は、任意選択的に第２のデバイスのクロック周波数の中間決定を介して、第２のデバイスの温度を算定するために使用されてもよい。
【００２２】
このデバイスは、照明システムコントローラを含んでもよい。この方法を実装するために、コントローラにおいて、小規模なソフトウェア更新のみが必要とされる。
【００２３】
本発明はまた、温度感知システムであって、
上記で定義されたような温度感知デバイスと、
データ通信インタフェースによって温度感知デバイスに接続されている、第２のデバイスとを備える、温度感知システムも提供する。
【００２４】
第２のデバイスは、第２の水晶発振器、例えばＡＴカット水晶発振器によって、第２のクロック周波数でクロックされる、第２のコントローラを有する。
【００２５】
第２の水晶発振器の温度特性は既知であり、それゆえ、電子信号の周波数の温度依存性が既知である。
【００２６】
第２のデバイスは、照明負荷、及び関連するローカル照明コントローラを含んでもよい。
【００２７】
温度感知デバイスのコントローラは、１つ以上の既知の温度において第２のデバイスを使用して、較正測定を実施するように適合されてもよい。それゆえ、この較正プロセスは、時間値の変化（例えば、平均持続時間、又は、測定された持続時間に基づく他の統計値）と温度との間の（任意選択的に、中間計算結果としての周波数を介した）マッピングを提供する。
【００２８】
本発明の別の態様による実施例は、温度感知方法であって、
第１のコントローラにおいて熱検出信号を生成するステップであって、この第１の熱検出信号が、第１の水晶発振器によってクロックされている、ステップと、
第２のデバイスから電子信号を受信するステップであって、電子信号が、第１のクロック周波数よりも低い、第２のクロック周波数に基づいている、ステップと、
所定の瞬間における熱検出信号のエッジと、次に検出される所定のタイプの電子信号のエッジとの間の持続時間を、熱検出信号のサイクル数として測定するステップと、
測定された持続時間のセットを分析するステップであって、それにより、電子信号の周波数温度特性の知識に基づいて、第２のデバイスにおける温度を決定する、ステップとを含む、方法を提供する。
【００２９】
この方法は、より高速の信号のサイクル数に基づいて、２つの信号間の時間遅延を測定する。この測定は、より高速の信号の周期よりも正確ではないため、正確な測定値をもたらすものではない。しかしながら、複数のそのような測定値を分析することによって、電子信号の周波数を示す、遥かに正確な測定が可能となる。次いで、この周波数は、温度に変換されることができる。
【００３０】
温度を決定するステップは、例えば、持続時間の平均値若しくは任意の他の値又はそれらの関数の計算、あるいは、持続時間の分布若しくは任意の他の広がり又はそれらの関数の分析を含む、統計分析に基づく。
【００３１】
この方法は、照明システムコントローラにおいて、第２の照明負荷における温度を感知するステップを含み得る。本発明は、少なくとも部分的に、ソフトウェアとして実装されてもよい。
【図面の簡単な説明】
【００３２】
ここで、本発明の実施例が、添付図面を参照して詳細に説明される。
【図１】中央制御デバイスと第２の負荷デバイスのセットとのネットワークを示す。
【図２】種々の水晶カットを示す。
【図３】種々の水晶カットに関する周波数温度特性を示す。
【図４】種々の角度のＡＴカットに関する周波数温度特性のセットを示す。
【図５】ＢＴカットに関する周波数温度特性を示す。
【図６】ＡＴカットに関する典型的な角度の選択を示す。
【図７Ａ】スタンドアロンシステムとしての温度感知デバイス７０を示す。
【図７Ｂ】中央照明コントローラの一部として形成されている温度感知デバイス７０を示す。
【図８】温度感知デバイスの要素を、より詳細に示す。
【図９】温度変化に起因する、信号のビット周期の変化を示す。
【図１０】持続時間を測定するための従来の手法を示す。
【図１１】本発明のデバイス及び方法で使用されるタイミング手法を示す。
【図１２】本方法の回路シミュレーションの結果を示す。
【図１３Ａ】測定された持続時間のシミュレーション結果を示す。
【図１３Ｂ】測定された持続時間のシミュレーション結果を示す。
【図１３Ｃ】測定された持続時間のシミュレーション結果を示す。
【図１３Ｄ】測定された持続時間のシミュレーション結果を示す。
【図１４】温度感知方法を示す。
【図１５】本発明の手法が、どのように無線信号に適用され得るかを示す。
【図１６】デバイス内で使用されるコントローラ又はプロセッサを実装するための、コンピュータの一実施例を示す。
【発明を実施するための形態】
【００３３】
本発明は、第２のデバイスの温度を感知するための、温度感知システム及び方法を提供する。熱検出信号が、第１のクロック周波数で供給され、第１のクロック周波数よりも低い第２のクロック周波数に基づく電子信号が、第２のデバイスから受信される。熱検出信号のタイミング瞬間と電子信号のタイミング瞬間との間の、持続時間が測定され、測定された持続時間のセットの分析から、電子信号の周波数温度特性の知識に基づいて、第２のデバイスにおける温度が決定される。
【００３４】
図１は、中央制御デバイス１と第２の負荷デバイス２とのネットワークを示す。中央制御デバイス１は、通信インタフェース、特にバス７を介して、第２の（負荷）デバイス２を制御し、それらと通信する。
【００３５】
一実施例では、システム全体が照明システムであり、中央制御デバイスは、メイン（上流）の照明コントローラであり、第２のデバイスは、照明器具である。
【００３６】
本発明は、第２のデバイス２における温度を決定するために、バス７上の電子信号を利用する。第２のデバイスのいずれの特定の設計も、又は、第２のデバイスによって従われるべきいずれの特定の通信プロトコルも、必要としない。
【００３７】
このタイプの通常のネットワーク化照明システムでは、セグメントコントローラなどの上流の中央制御ユニットは、システムの既存部分である。既存のソフトウェア内にソフトウェアコードを提供することによって、追加的なデータ処理機能が実現されてもよい。
【００３８】
上述のように、水晶発振器は、マイクロコントローラのクロック信号として使用するための、周期パルスを供給するため、全てのマイクロコントローラベースのデジタルシステムにおける重要な構成要素である。マイクロコントローラの全ての動作は、この信号に基づく。水晶発振器の出力が変更される場合、例えば、周波数が増大される場合には、マイクロコントローラの動作は、以前よりも僅かに速くなる。周波数が低下すると、速度は低下することになる。
【００３９】
本発明は、時間遅延期間を測定することによって、周波数変動を間接的に観測することに基づく。温度は、水晶の出力周波数に影響を及ぼす１つの変数であり、それにより、これらの遅延期間の変動を測定することによって、温度が導出されることができる。
【００４０】
水晶発振器の出力に影響を及ぼす、３つの主要因が存在する。これらの主要因は、負荷の静電容量、励起電力、及び温度である。
【００４１】
典型的な用途では、水晶発振器に関する負荷容量及び励起電力は、電気回路によって決定される。それゆえ、これらの２つの要因は、ハードウェアが固定されてしまえば、水晶発振器の周波数に影響を及ぼすことはない。それゆえ、温度依存性が、周波数変動に関する唯一の重大な原因として残る。
【００４２】
異なる水晶発振器は、異なる周波数温度（frequency-temperature；ｆ−Ｔ）曲線を有する。ｆ−Ｔ特性は、石英シートから水晶が切り出されたプロセスに、強く関連している。
【００４３】
図２は、ＡＴカット、ＢＴカット、ＣＴカット、ＤＴカット、ＧＴカット、及びＮＴカットを含めた、種々の切断プロセスを示す。異なる切断方法は、図３に示されるような異なるｆ−Ｔ曲線を生じさせ、この図は、周波数対温度を示している。
【００４４】
水晶の周波数温度特性は、その曲線の形状によって、２つのタイプに分類される。一方は３次曲線であり、他方は２次曲線である。
【００４５】
ＡＴカット及びＢＴカットの典型的な周波数温度特性が、それぞれ、図４及び図５に示されている。図４に示される曲線のセットは、石英棒から石英板が切り出される角度が、水晶振動子の周波数対温度特性を決定するように、切断の角度に応じて変化している。
【００４６】
ＡＴカット水晶振動子は、室温範囲での温度変化に応答して、より小さい周波数変化を生じさせるため、最も広く使用されている。周波数の変化は、図４に示されるように、一連の３次Ｓ曲線に従っている。
【００４７】
切断角度の調節により、水晶設計技術者は、用途に対して所望の温度係数を選択することが可能になる。室温範囲において最良の周波数安定性を得るために、特定の切断角度が使用される。図６に示されるように、適切な切断角度は、２０度の周辺で平坦な、太線６０をもたらす。この切断角度は、水晶発振器に関して最も一般的な切断角度に対応している。得られた曲線は、単調増加関数である。
【００４８】
ＡＴカット水晶発振器の温度−周波数関数に関して、製造業者によって提供される明確な数式が存在する。典型的な例は、以下の通りである：
【数１】
0006685480.tif 000002
Ｔ０は、基準温度であり、
ｆ０は、温度Ｔ０における周波数であり、
ａ０は、基本波の温度係数であり、
ｃ０は、３倍オーバートーンの温度係数である。
【００４９】
図１のシステムでは、上流のコントローラ１は、室温などの、一定の温度環境内にあると見なされてもよい。マイクロコントローラ及び水晶は、最良の周波数安定性を有する。それゆえ、各マシンサイクルは、対応する温度−周波数曲線に従った周波数変動を伴わない、同じ時間消費を有する。
【００５０】
照明器具２は、実際の環境内で作動し、これは、種々の作動条件により温度が変化することを意味する。例えば、照明器具が作動している場合、特に、ＬＥＤドライバ（制御基板）がＬＥＤと一体化されているか、又はＬＥＤに極めて近接している、コンパクトなＬＥＤ照明器具に関しては、電力損失は、水晶発振器を含む制御基板を含めた、照明器具全体を加熱することになる。このことは、既知の曲線に従った周波数変化を引き起こす。マイクロコントローラの速度は、それに応じて変化する。それゆえ、ドライバ基板上の水晶発振器の温度を検出することによって、ＬＥＤの状態が監視されることができる。当然ながら、ドライバの温度はまた、照明システムが異常な状態にあることなどの、他の要因によっても影響を受ける可能性がある。第２の照明器具の温度を検出することによって、照明器具の健全性状態が得られることができる。
【００５１】
同じプログラムがマイクロコントローラによって実行される場合、時間消費は以前とは異なる。既知の周波数温度関数に基づいて、正確な温度変化が、時間差に基づいて導出されることができる。
【００５２】
異なる温度における時間差を直接測定することは、周波数変動が極めて小さいため、困難である。通常、ＡＴカット水晶に関しては、変動は、−５５℃〜＋８５℃の温度範囲に対して、±２５ｐｐｍである。
【００５３】
本発明は、第２のデバイスによって生成された、またそれゆえ、第２のデバイス内の発振器のクロック周波数で生成された、電子信号の分析を利用する、温度感知デバイスを提供する。温度感知システムは、中央制御デバイス１の一部であってもよく、又は、独立したデバイスであってもよい。これら２つの選択肢が、図７に示されている。
【００５４】
図７Ａは、スタンドアロンシステムとしての温度感知デバイス７０を示す。温度感知デバイス７０は、通信バス７に接続されている通信インタフェース７２を備える。感知デバイス７０は、単に、バス７上の電子データ信号をリッスンして、（照明器具２からの）デジタル信号を分析するが、いずれの信号もバス上に送信する必要がないという点で、受動モードで作動する。熱測定マイクロコントローラ７４が、以下で説明される温度測定計算を実行する。
【００５５】
図７Ｂは、中央コントローラ１の一部として形成されている、温度感知デバイス７０を示す。この場合には、ソースコードが上流のコントローラ１に埋め込まれており、ハードウェアの変更は全く必要とされない。メインコントローラの機能は変更されずに、ブロック７６によって表されている。この場合も、既存の中央コントローラハードウェアの一部である、通信インタフェース７２が存在する。
【００５６】
図８は、温度感知デバイス７０の要素を、より詳細に示している。通信インタフェース７２は、バス７上に供給されるデジタルデータ通信信号である、電子信号を受信する。この電子信号は、或るクロック周波数で連続する、一連のバイナリビット値を含む。信号は、アドレスデコーダ８０及びタイマー８２に供給される。タイマーは、熱検出信号として機能するローカルのクロック信号を利用し、信号エッジ間でタイミング測定が実施される。タイミング情報は、熱計算を実行すると共に、オプションの較正ルーチンを実施する、マイクロコントローラ８４に供給される。
【００５７】
上述のように、照明ユニットによって生成される電子（データ通信）信号のタイミングは、元のクロック信号に基づいており、それゆえ、元のクロック信号に密接に関連している。それゆえ、異なる周囲温度で発振器が作動している場合、電子信号の周波数は、僅かに変化することになる。
【００５８】
図９は、温度変化に起因し得る、ｔ１からｔ２への、信号のビット周期の変化を示している。信号の周波数又は周期を測定することによって、上述のように、水晶の温度特性の数学モデルに基づいて、温度が推定されることができる。
【００５９】
課題となるのは、信号周期の変動を、十分な精度で測定する方法である。熱変化によって引き起こされる電子信号の時間変動は、極めて小さい（通常は、数ナノ秒）。極めて高分解能のタイマーが使用される場合には、コストが極めて高い。例えば、時間測定に関する従来の方法が使用される場合には、ＧＨｚタイマーが必要となるであろう。
【００６０】
この従来の手法が、図１０に示されている。上部プロットは、電子信号を示す。中間プロットは、タイミング瞬間を示し、タイマーは、瞬間１００で開始されて、瞬間１０２で停止され、次いで、瞬間１０４で再び開始され、瞬間１０６で停止される。下部プロットは、タイマーのクロック信号を示す。タイマーは、自身のクロック信号周期に対応する精度でのみ、時間間隔を測定することができる。それゆえ、電子信号の周期の小さい変動を測定する場合には、周波数を極めて高くする必要がある（図１０で概略的に表されるものよりも遥かに高い）。
【００６１】
図７及び図８の温度感知デバイス７０は、代わりに、ローエンドのマイクロコントローラを使用してもよい。タイマー８２及びマイクロコントローラは、信号周波数の変動を、間接的に測定するために使用される。信号変動は、ナノ秒のレベルであるが、タイマーに関する、極めて高い周波数のクロック（ギガヘルツ）の必要性は回避される。
【００６２】
タイマーは、電子信号を生成するために照明ユニット内で使用されるクロック信号よりも、速いクロック信号を利用する。しかしながら、タイマーのクロックは、電子信号に関連付けられている信号クロックよりも速い、小さい倍数であることのみを必要とする。例えば、タイマーは、（標準の）１１５．２ｋＨｚのクロックに基づく電子信号に対して、３００ｋＨｚのクロック周波数を有してもよい。より高いタイマーのクロック周波数が使用されてもよいが、このことは必須ではない。例えば、高周波タイマーのコストを考慮すると、タイマーのクロックは、一般に、通信バス７上の信号の周波数の２．５〜１０倍の範囲となる。
【００６３】
バス７上の信号を監視するために、単純な通信インタフェース７２が使用され、リスニングモードでのみ動作する。リスニングモードは、温度感知デバイス検出器が通信バス７に接続されている場合の、信号干渉を回避するために、インピーダンス整合を含むものであり、また、アドレス復号も含む。バス７は、双方向通信信号、並びに、複数の第２のデバイスへの信号、及び複数の第２のデバイスからの信号を搬送する。それゆえ、バス上の信号は、アドレスデコーダ８０を利用して選別され、それにより、監視されている第２のデバイス以外の、他のデバイスからの信号が、無視されることができる。
【００６４】
電子信号の時間変動を測定するために、確率及び統計理論に基づくアルゴリズムが使用される。
【００６５】
図１１は、本発明のデバイス及び方法で使用されるタイミング手法を示している。
【００６６】
上部プロットは、タイマー信号を示す。このタイマー信号は、第１のクロック周波数を有する、熱検出信号であると見なされてもよい。
【００６７】
下部プロットは、受信された電子信号を示す。この電子信号は、第１のクロック周波数よりも低い、第２のクロック周波数に基づいており、第２のデバイス内で生成されている。熱検出信号は、電子信号と同期されるべきではない。この実施例では、熱検出信号は、電子信号の周波数の３倍弱の周波数を有する。
【００６８】
タイミング持続時間の測定は、所定の瞬間における、熱検出信号のエッジで開始する。図示の実施例では、タイミング持続時間の測定は、熱検出信号の立ち上がりエッジで開始しており、熱検出信号の５周期毎に開始する、新たな持続時間測定が存在している。時間値Ｔは、この５つの時間サイクル周期の持続時間に対応している。当然ながら、測定間の遅延期間は、より多いサイクル数、又はより少ないサイクル数であってもよい。このことは、クロック信号の相対速度に応じて変化するであろう。特に、測定間の時間期間は、測定が行われるために十分に長いものとする必要がある。
【００６９】
測定される持続時間は、熱検出信号の立ち上がりエッジから、次の電子信号の立ち上がりエッジまでである。
【００７０】
第１の測定サイクル（０〜Ｔ）では、次の電子信号の立ち上がりエッジは、殆ど即時である。それゆえ、第１の熱検出信号サイクルの後に、立ち上がりエッジが検出されており、計時期間１１０は、１サイクルである。それゆえ、持続時間は、熱検出信号のサイクル数として測定されることが分かる。
【００７１】
第２の測定サイクル（Ｔ〜２Ｔ）では、最初に、かつ殆ど即時に、電子信号の立ち下がりエッジが存在しているため、次の電子信号の立ち上がりエッジが遅延されている。この場合には、第２の熱検出信号サイクルの後に、立ち上がりエッジが検出されており、計時期間１１２は２サイクルである。
【００７２】
第３の測定サイクル（２Ｔ〜３Ｔ）では、この場合もまた、最初に電子信号の立ち下がりエッジが存在しているが、ある程度の遅延の後であるため、次の電子信号の立ち上がりエッジは、更に遅延されている。この場合には、第３の熱検出信号サイクルの後に、立ち上がりエッジが検出されており、計時期間１１４は、３サイクルである。
【００７３】
異なる時間期間は、タイマー開始の瞬間０、Ｔ、２Ｔ、３Ｔなどにおける、電子信号の異なる位相θ０、θ１、θ２に起因する。これらの信号は非同期であるため、位相θ０、θ１、θ２などは異なっている。タイマーが、任意のパルス信号の立ち上がりエッジで開始される場合には、位相θは、確率理論に従って［０，３６０°］の範囲内の値を取ることができる。
【００７４】
測定された持続時間のセットの分析から、電子信号の周波数温度特性の知識に基づいて、第２のデバイスにおける温度が導出されることができる。
【００７５】
持続時間の測定はまた、電子信号の電圧サンプリングによっても行われることができ、データパターン０１までのサイクル、すなわち、熱検出信号の立ち上がりエッジから次の電子信号の立ち上がりエッジまでのサイクルを、カウントすることができる点に留意されたい。
【００７６】
計時期間内の可能なサイクル数は、タイマーのクロック周波数に応じて変化する。上述のように、タイマーのクロックは、一般に、通信バス７上の信号の周波数の２．５〜１０倍の範囲となる。より高いタイマーのクロック周波数が所望されてもよいが、コストはより高いものとなる。同様に、例えば通信バス７上の信号の周波数の１．１倍まで下がる、より低いタイマーのクロック周波数が使用されてもよい。このことは、２つのみの可能な測定結果をもたらすことになるため、より大きいデータセットが必要とされ得る。
【００７７】
１つの好ましい構成は、３つの可能な測定結果（すなわち、１サイクル、２サイクル、又は３サイクル）をもたらす。可能な測定値の数は、Ｎ＝切り上げ（ｆ＿ｕｐ／ｆ＿ｄｏｗｎ）によって与えられ、ｆ＿ｕｐは、上流のコントローラの周波数であり、ｆ＿ｄｏｗｎは、下流のユニットの周波数である。
【００７８】
図１２は、本方法の回路シミュレーションの結果を示している。上部プロットは、タイマー開始の瞬間（０、Ｔ、２Ｔなど）を示し、中間プロットは、熱検出信号（すなわち、より高速のクロック信号）を示し、下部プロットは、電子信号を示している。
【００７９】
タイマー動作を、典型的には、数百回又は数千回繰り返すことによって、統計データセット｛Ｎ｝が得られる。１サイクル、２サイクルなどの時間期間の発生回数は、分布曲線が導出されることを可能にする。電子信号の周期が、熱効果により僅かに変化されると、分布曲線も同様に変化することになる。
【００８０】
図１３Ａ〜図１３Ｄは、シミュレーション結果を示している。これらの図は、クロック周波数の低減を生じさせる、第２のユニットの種々の温度に関する、遅延期間の種々の分布を示している。この分布情報、及び、第２のデバイス内の水晶の周波数温度特性に従って、温度が推定されることができる。
【００８１】
実システムにおける動作に関しては、エッジを検出し、時間期間を測定する際、ある程度の時間的ペナルティが存在している点に留意されたい。図１１は、タイマーが即座にカウントを開始することができると仮定する、理想化された表現を示している。しかしながら、図１３のシミュレーションでは、タイマーの開始時に、２サイクルの遅延が存在している。それゆえ、タイマーの読み取り値は、例えば、依然として１サイクルではあるが、実時間消費は、実際には３クロックサイクルである。それゆえ、図１３では、ｘ軸は、クロックサイクルに基づく実時間消費を表している。
【００８２】
測定された持続時間及びそれらの分布の分析は、特に、例えば、時間間隔の平均値若しくは任意の他の値又はそれらの関数の計算などの、あるいは、例えば、時間間隔の分布若しくは任意の他の広がり又はそれらの関数の分析などの、統計分析を含む。
【００８３】
上記の実施例から分かるように、記録された時間間隔の数が多いほど、その分布から、より多くの情報が得られる。多数の時間間隔の分析を実行することによって、第２のデバイスの動作周波数が、遥かに良好に決定されることができる。持続時間の測定の数は、少なくとも１０、好ましくは、少なくとも１００である。更に、１０００回以上の測定が存在してもよい。
【００８４】
明らかに、図１３Ａから図１３Ｄへと、分布は右に移行している。図１３Ａに関連する時間間隔に関しては、時間間隔の平均値の計算は、図１３Ｂに関連する時間間隔に関する同様の計算よりも、小さい値をもたらすことになる、などである。持続時間の分布又は任意の他の広がりは、分析のために使用されてもよい。
【００８５】
図１１は、単純な周期信号（１０１０１０１０...）の形態の、電子信号を示している。実際の用途では、信号は異なる。信号は、１０１００１１００１などの、任意のビット列を含んでもよい。このシナリオでタイマーが作動している場合、タイマー出力は、次の０１遷移を待機する場合には、極度に高い値となる恐れがある。その場合、このデータによって、熱計算の結果が破損されることになる。
【００８６】
この問題に対処するために、コントローラは、電子信号を監視して、いずれの持続時間測定が考慮されるかについて、判断を下すことができる。例えば、「１０１」、「００１」、又は「０１」の、電子信号内のデータパターンに関してのみ、持続時間測定が保持されてもよい（１０１及び０１が、図１１に示されている）。このことは、次の０１遷移が、開始時間から最大でも（電子信号の）２ビット周期離れていることを意味する。それゆえ、持続時間の値の範囲は、１〜Ｎであり、Ｎは、熱検出信号のクロック周波数と電子信号のクロック周波数との（最も近い整数に切り上げられた）比である。例えば、図１１に関しては、持続時間１、持続時間２、及び持続時間３のみが、その場合可能である。（図１３に示されるような）時間消費値は、その場合、Ｍ〜Ｎ＋Ｍであり、Ｍは、タイマーを開始させるために必要なサイクル数である。
【００８７】
Ｎの値が高いほど、分布プロットの分解能が高くなる。しかしながら、多数の測定の場合には、低い比（３に近いなど）であっても、正確な温度決定を可能にする。
【００８８】
極めて小さいタイミングの変化が、温度変化によって引き起こされる場合であっても、検出されることができる。例えば、１０００回のタイミング測定が、温度Ｔａにおいて実施される場合には、タイミング測定値の頻度の密度は、以下に示されるようなものであってもよい：
タイマーの読み取り値        １        ２        ３
頻度                        １００    ８００    １００
【００８９】
温度が、Ｔｂへと僅かな量で変化される場合には、タイマーからのデータは、以下に示されるように、少数の値にのみ影響を及ぼし得る：
タイマーの読み取り値        １        ２        ３
頻度                        ９５      ８０３    １０２
【００９０】
これらの変化は、電子信号の周期におけるナノ秒の変化に起因し得るが、これは、電子信号の信号エッジが、熱検出信号のエッジのタイミング瞬間と交差するために、ナノ秒の遅延のみを要するためである。
【００９１】
このことは、例えば図１３に示されるように、増大する値への移行をもたらす。読み取り値は、依然として１〜３の範囲内であるが、分布の変化が、温度の変化を反映している。例えば、平均値は、２．０００から２．００７に変化している。
【００９２】
較正段階もまた、遂行されてもよい。
【００９３】
最低限でも、較正は、既知の１つの温度において行われてもよい。しかしながら、較正は、２つの既知の温度Ｔ１及びＴ２において、測定を実施することを伴い得る。
【００９４】
それぞれの較正温度において、持続時間の分布が得られる。
既知の温度において決定される水晶周波数は、周波数温度曲線から、及び水晶発振器に関する式から得られる。
【００９５】
次いで、分布の２つの値（すなわち、平均若しくは広がりの尺度、又はそれらの組み合わせなどの、分布から導出されるメトリック）に、関数が適合されることができる。次いで、較正プロセスは、持続時間メトリックと温度との間に、マッピングが提供されることを可能にする。
【００９６】
このマッピングは、実際に周波数を計算する必要がなくてもよい点に留意されたい。しかしながら、較正は、その場合、電子信号（すなわち、第２の発振器）の周波数温度特性の知識に基づく。
【００９７】
較正は、２つの較正温度Ｔ１とＴ２との、内挿／外挿に基づいてもよい。較正測定値から、各温度に関して、（平均値などの）代表的な時間値、ｔ＿ｒｅｆ１及びｔ＿ｒｅｆ２が計算される。２つの温度Ｔ１及びＴ２において決定される水晶周波数ｆ１及びｆ２は、周波数温度曲線から、及び水晶発振器に関する式から得られる。
【００９８】
次いで、以下の基準時間値及び対応する基準周波数値が得られてもよい：
ｔ＿ｒｅｆ＝ｔ＿ｒｅｆ２−ｔ＿ｒｅｆ１
ｆ＿ｒｅｆ＝ｆ２−ｆ１
【００９９】
それゆえ、この較正プロセスは、時間遅延の変化と周波数の変化との間のマッピングを提供する。時間値の変化は、基準時間値になり、周波数の変化は、基準周波数値になる。変化の値を基準値として導出することによって、いずれの一定の時間間隔の寄与も補償することが可能になる。
【０１００】
較正の後、システムは、使用の準備が整う。
【０１０１】
このことは、温度測定を実行することを伴い、すなわち、下流側に未知の温度Ｔｘが存在する場合である。
【０１０２】
新たな時間値、ｔ＿ｍｅａｓｕｒｅｄが得られる。
【０１０３】
次いで、時間差が、ｔｘ＝ｔ＿ｍｅａｓｕｒｅｄ−ｔ＿ｒｅｆ１として計算される。
【０１０４】
次いで、周波数差が、ｆｘ＝ｔｘ／ｔ＿ｒｅｆ＊ｔ＿ｒｅｆとして得られる。
【０１０５】
このことは、基準周波数値に対する測定周波数の比を、基準時間値に対する測定時間間隔の比と等しくなるように設定するものである。換言すれば、時間間隔と周波数との線形関係に基づいている。
【０１０６】
次いで、未知の温度における水晶の周波数が、ｆ＝ｆｘ＋ｆ１として得られる。
【０１０７】
これは、既知の温度における２つの測定値からの、線形の内挿又は外挿である。水晶の周波数温度曲線、及び水晶発振器の式に従って、温度Ｔｘが導出されることができる。
【０１０８】
持続時間メトリックと温度との間に、直接的なマッピングが存在してもよく、あるいは、周波数の中間決定が存在してもよく、この中間決定は、次いで、既知の温度−周波数特性に基づいて温度に変換される。
【０１０９】
熱検出信号のクロック周波数は、電子信号のクロック周波数よりも高いが、依然として、温度変化によって引き起こされる時間差を測定する（すなわち、認識する）ための、十分な分解能を有さない。
【０１１０】
図１４は、温度感知方法を示している。
【０１１１】
ステップ１４０で、第１のコントローラにおいて熱検出信号が生成され、この第１の熱検出信号は、第１の水晶発振器によってクロックされている。
【０１１２】
ステップ１４２で、第２のデバイスから電子信号が受信され、この電子信号は、第１のクロック周波数よりも低い、第２のクロック周波数に基づいている。
【０１１３】
ステップ１４４で、所定の瞬間における熱検出信号のエッジと、次に検出される所定のタイプの電子信号のエッジとの間の持続時間が、熱検出信号のサイクル数として測定される。
【０１１４】
ステップ１４６で、測定された持続時間のセットが分析され、それにより、電子信号の周波数温度特性の知識に基づいて、第２のデバイスにおける温度を決定する。
【０１１５】
この方法は、室温及び／又は１つ以上の調整された既知の温度などの、特定の温度若しくは温度のセットに、第２のデバイスがあることが既知となる、較正ステップを含んでもよい。この較正ステップは、後続の温度測定値を較正するための、参照情報をもたらすものである。
【０１１６】
本発明は、有線システムに関連して上述されている。しかしながら、同じ構想が、無線システムに適用されてもよい。特に、周波数依存性の時間遅延を着信信号が経験する、任意のシステムが、上述の手法を利用してもよい。
【０１１７】
例として、無線信号は、周波数変調を利用してもよい。信号変調は、時間領域において、いかなる損失も引き起こすことはないが、その一方で、クロック周波数の変化は、変調キャリア信号を生成するために使用される元のパルス信号の、タイミング及び持続時間を変更することになる。それゆえ、受信側での復調後に、元のキャリア信号に関連する、時間領域内の全ての情報が復元されることができる。
【０１１８】
屋外照明システムの別の実施例では、第２のデバイスは、照明器具の一部であり、温度感知デバイスもまた、照明器具の一部である。第２のデバイスは、光源、例えばＬＥＤの、ドライバ基板である。温度感知デバイスは、照明器具の制御基板内に存在している。ドライバ基板は、光源に近接しており、より高い消費電力を有する。このことは、温度における作動条件の悪化を引き起こす。制御基板は、相対的に、さほど光源に近接しておらず、より少ない消費電力を有する。
【０１１９】
電気信号は、例えば、光源に電力供給するためのＰＷＭ信号である。ＰＷＭ信号は、専用のＰＷＭチップに基づいている。ＰＷＭ信号の周波数は、チップのデータシート内で指定されており、ＰＷＭ信号の周波数値は、周辺のＲＣ回路に応じて変化する。通常、温度は、抵抗の値よりも、静電容量の値に大きく影響を及ぼし、すなわち、コンデンサは、他の構成要素よりも高い、温度に伴う変動域を有する。それゆえ、コンデンサの温度−静電容量の関係、上記の方法によって得られたＰＷＭ信号の測定周波数の移行に従って、コンデンサの温度が得られることができる。
【０１２０】
図１５の２つの上部プロットは、（データパターンを搬送する）元のキャリア信号、及び周波数変調された結果の信号を含む、周波数変調無線信号を示している。２つの下部プロットは、ビットパターンを符号化するために使用されるクロック信号の周波数の変化に起因する遅延を伴う、受信後の信号を示している。このビットパターン（キャリア信号）は、上述の手法を使用して分析されることができる。
【０１２１】
上述のシステムは、データを処理して温度を決定するために、コントローラ／プロセッサを利用する。
【０１２２】
図１６は、上述のコントローラ又はプロセッサを実装するための、コンピュータ１５０の一実施例を示している。
【０１２３】
コンピュータ１５０としては、限定するものではないが、ＰＣ、ワークステーション、ラップトップ、ＰＤＡ、パームデバイス、サーバ、記憶装置などが挙げられる。一般に、ハードウェアアーキテクチャの観点から、コンピュータ１５０は、ローカルインタフェース（図示せず）を介して通信可能に結合されている、１つ以上のプロセッサ１５１、メモリ１５２、及び１つ以上のＩ／Ｏデバイス１５３を含んでもよい。ローカルインタフェースは、例えば、限定するものではないが、当該技術分野において既知であるような、１つ以上のバス、又は他の有線若しくは無線接続とすることができる。ローカルインタフェースは、通信を可能にするために、コントローラ、バッファ（キャッシュ）、ドライバ、リピータ、及び受信機などの、追加的要素を有してもよい。更には、ローカルインタフェースは、前述の構成要素間の適切な通信を可能にするために、アドレス、制御、及び／又はデータ接続を含んでもよい。
【０１２４】
プロセッサ１５１は、メモリ１５２内に記憶されることが可能なソフトウェアを実行するための、ハードウェアデバイスである。プロセッサ１５１は、実質的に任意の特注又は市販のプロセッサ、中央処理ユニット（central processing unit；ＣＰＵ）、デジタル信号プロセッサ（digital signal processor；ＤＳＰ）、又は、コンピュータ１５０に関連付けられているいくつかのプロセッサ間の補助プロセッサとすることができ、プロセッサ１５１は、半導体ベースの（マイクロチップの形態の）マイクロプロセッサ、又はマイクロプロセッサであってもよい。
【０１２５】
メモリ１５２としては、揮発性メモリ要素（例えば、ダイナミックランダムアクセスメモリ（dynamic random access memory；ＤＲＡＭ）、スタティックランダムアクセスメモリ（static random access memory；ＳＲＡＭ）などの、ランダムアクセスメモリ（random access memory；ＲＡＭ）など）、及び不揮発性メモリ要素（例えば、ＲＯＭ、消去可能プログラマブル読み取り専用メモリ（erasable programmable read only memory；ＥＰＲＯＭ）、電子的消去可能プログラマブル読み取り専用メモリ（electronically erasable programmable read only memory；ＥＥＰＲＯＭ）、プログラマブル読み取り専用メモリ（programmable read only memory；ＰＲＯＭ）、テープ、コンパクトディスク読み取り専用メモリ（compact disc read only memory；ＣＤ−ＲＯＭ）、ディスク、ディスケット、カートリッジ、カセットなど）のうちの、任意の１つ又は組み合わせを挙げることができる。更には、メモリ１５２は、電子、磁気、光学、及び／又は他のタイプの記憶媒体を組み込んでもよい。メモリ１５２は、様々な構成要素が、互いから離れて位置しているが、プロセッサ１５１によってアクセスされることが可能な、分散アーキテクチャを有し得る点に留意されたい。
【０１２６】
メモリ１５２内のソフトウェアは、１つ以上の別個のプログラムを含んでもよく、それらのプログラムのそれぞれは、論理関数を実施するための実行可能命令の、順序付きリストを含む。メモリ１５２内のソフトウェアは、例示的実施形態による、好適なオペレーティングシステム（Ｏ／Ｓ）１５４、コンパイラ１５５、ソースコード１５６、及び１つ以上のアプリケーション１５７を含む。
【０１２７】
アプリケーション１５７は、計算ユニット、論理、機能ユニット、プロセス、動作、仮想エンティティ、及び／又はモジュールなどの、多数の機能構成要素を含む。
【０１２８】
オペレーティングシステム１５４は、コンピュータプログラムの実行を制御し、スケジューリング、入出力制御、ファイル及びデータ管理、メモリ管理、並びに通信制御及び関連サービスを提供する。
【０１２９】
アプリケーション１５７は、ソースプログラム、実行可能プログラム（オブジェクトコード）、スクリプト、又は、実行される命令のセットを含む任意の他のエンティティであってもよい。ソースプログラムの場合、通常、そのプログラムは、オペレーティングシステム１５４に関連して適切に動作するように、メモリ１５２内に含まれる場合も、又は含まれない場合もある、コンパイラ（コンパイラ１５５など）、アセンブラ、インタプリタなどを介して翻訳される。更には、アプリケーション１５７は、データ及び方法のクラスを有する、オブジェクト指向プログラミング言語、あるいは、ルーチン、サブルーチン、及び／又は関数を有する、手続きプログラミング言語、例えば、限定するものではないが、Ｃ、Ｃ＋＋、Ｃ＃、Ｐａｓｃａｌ、ＢＡＳＩＣ、ＡＰＩコール、ＨＴＭＬ、ＸＨＴＭＬ、ＸＭＬ、ＡＳＰスクリプト、ＪａｖａＳｃｒｉｐｔ、ＦＯＲＴＲＡＮ、ＣＯＢＯＬ、Ｐｅｒｌ、Ｊａｖａ、ＡＤＡ、ＮＥＴなどとして書き込まれることができる。
【０１３０】
Ｉ／Ｏデバイス１５３は、例えば、限定するものではないが、マウス、キーボード、スキャナ、マイクロフォン、カメラなどの、入力デバイスを含んでもよい。更には、Ｉ／Ｏデバイス１５３はまた、出力デバイス、例えば、限定するものではないが、プリンタ、ディスプレイなどを含んでもよい。最終的に、Ｉ／Ｏデバイス１５３は、入力及び出力の双方を通信するデバイス、例えば、限定するものではないが、ネットワークインタフェースコントローラ（network interface controller；ＮＩＣ）又は変調器／復調器（第２のデバイス、他のファイル、デバイス、システム、又はネットワークにアクセスするためのもの）、無線周波数（radio frequency；ＲＦ）送受信機又は他の送受信機、電話インタフェース、ブリッジ、ルータなどを更に含んでもよい。Ｉ／Ｏデバイス１５３はまた、インターネット又はイントラネットなどの様々なネットワークを介して通信するための構成要素も含む。
【０１３１】
コンピュータ１５０が動作中である場合、プロセッサ１５１は、メモリ１５２内に記憶されているソフトウェアを実行して、メモリ１５２との間でデータを通信し、ソフトウェアに従ってコンピュータ１５０の動作を全般的に制御するようにコンフィギュレーションされている。アプリケーション１５７及びオペレーティングシステム１５４は、プロセッサ１５１によって、全体的又は部分的に読み取られ、あるいはプロセッサ１５１内にバッファリングされてから、実行される。
【０１３２】
アプリケーション１５７が、ソフトウェアとして実装される場合、アプリケーション１５７は、任意のコンピュータ関連システム若しくは方法によって、又は、それらのシステム若しくは方法に関連して使用されるために、実質的に任意のコンピュータ可読媒体上に記憶されることができる点に留意されたい。本文書の文脈では、コンピュータ可読媒体は、コンピュータ関連システム若しくは方法によって、又は、それらのシステム若しくは方法に関連して使用されるための、コンピュータプログラムを含むか又は記憶することが可能な、電子、磁気、光学、又は他の物理的デバイス若しくは手段であってもよい。
【０１３３】
本発明は、図面及び上述の説明において、詳細に例示及び説明されてきたが、そのような例示及び説明は、例示的又は説明的なものであり、制限するものではないと解釈されるべきであって、本発明は、開示される実施形態に限定されるものではない。
【０１３４】
本発明は、特に有線の照明ネットワークに関する、自動的な光ネットワーク健全性の監視に適用可能である。しかしながら、本発明は、モノのインターネット（internet of things）システムを含めた、他のシステムにも適用可能である。
【０１３５】
測定される持続時間は、立ち上がりエッジ間、立ち下がりエッジ間、あるいは、立ち上がりエッジから次の立ち下がりエッジまでの間、又は、立ち下がりエッジから次の立ち上がりエッジまでの間であってもよい。これらの４つの可能性は、基本的構想を変更するものではない。
【０１３６】
図面、本開示、及び添付の請求項の検討によって、開示される実施形態に対する他の変形形態が、当業者により理解されることができ、また、特許請求される発明を実施する際に実行されることができる。請求項では、単語「備える（comprising）」は、他の要素又はステップを排除するものではなく、不定冠詞「１つの（a）」又は「１つの（an）」は、複数を排除するものではない。特定の手段が、互いに異なる従属請求項内に列挙されているという単なる事実は、これらの手段の組み合わせが、有利には使用されることができないことを示すものではない。請求項中のいかなる参照符号も、範囲を限定するものとして解釈されるべきではない。
【要約】
第２のデバイスの温度を感知するための、温度感知デバイスが提供される。熱検出信号が、第１のクロック周波数で供給され、第１のクロック周波数よりも低い第２のクロック周波数に基づく電子信号が、第２のデバイスから受信される。熱検出信号のタイミング瞬間と電子信号のタイミング瞬間との間の、持続時間が測定され、測定された持続時間のセットの分析から、電子信号の周波数温度特性の知識に基づいて、第２のデバイスにおける温度が決定される。【図１】
0006685480.tif 000003
【図２】
0006685480.tif 000004
【図３】
0006685480.tif 000005
【図４】
0006685480.tif 000006
【図５】
0006685480.tif 000007
【図６】
0006685480.tif 000008
【図７Ａ】
0006685480.tif 000009
【図７Ｂ】
0006685480.tif 000010
【図８】
0006685480.tif 000011
【図９】
0006685480.tif 000012
【図１０】
0006685480.tif 000013
【図１１】
0006685480.tif 000014
【図１２】
0006685480.tif 000015
【図１３】
0006685480.tif 000016
【図１４】
0006685480.tif 000017
【図１５】
0006685480.tif 000018
【図１６】
0006685480.tif 000019